(57)【要約】【課題】安定した性能を持つ終端器を提供することを目的とする。【解決手段】相手同軸コネクタと軸方向にて接続される終端器であり、相手同軸コネクタの相手側中心導体と電気的に接続される端子部と、該相手同軸コネクタの相手側外部導体と電気的に接続される外部導体部と、を有する第１部品と、第１部品の外部導体部と電気的に接続される接地導体部と、第１部品の端子部と少なくとも軸方向において弾性接続される中継部と、接地導体部と中継部に電気的に接続され接地導体部を相手同軸コネクタの相手側中心導体と電気的に接続する抵抗素子と、を有する第２部品と、を備える。【選択図】          図１
2005051392.tif 000002
【特許請求の範囲】
【請求項１】
相手同軸コネクタと軸方向にて接続される終端器において、
該相手同軸コネクタの相手側中心導体と電気的に接続される端子部と、該相手同軸コネクタの相手側外部導体と電気的に接続される外部導体部と、を有する第１部品と、
前記第１部品の外部導体部と電気的に接続される接地導体部と、前記第１部品の端子部と少なくとも前記軸方向において弾性接続される中継部と、前記接地導体部と前記中継部に電気的に接続され前記接地導体部を前記相手同軸コネクタの相手側中心導体と電気的に接続する抵抗素子と、を有する第２部品と、
を備えることを特徴とする終端器。
【請求項２】
請求項１記載の終端器において、前記第２部品の中継部は、スリ割りを有し、前記第１部品の端子部は、前記スリ割りによって生じ得る弾性変形による戻りを抑制する部分を有し、前記スリ割り部分を前記抑制する部分に軸方向において押し込んで弾性変形させるようにして、前記第１部品の端子部と前記第２部品の中継部を弾性接続させる終端器。
【請求項３】
請求項２記載の終端器において、前記スリ割りを設けた中継部は先端に向けて先細にされており、該先細にされている部分は前記抑制する部分への挿入部付近にのみ設けられている終端器。
【請求項４】
請求項１乃至３のいずれかに記載の終端器において、前記第２部品の中継部は、前記中継部から前記軸方向に伸びるガイド部を有し、前記第１部品の端子部は、このガイド部を案内するガイド穴を有する終端器。
【請求項５】
終端器において、
相手同軸コネクタの相手側中心導体と電気的に接続される端子部と、該相手同軸コネクタの相手側外部導体と電気的に接続される外部導体部と、を有する第１部品と、
前記第１部品の外部導体部と電気的に接続される接地導体部と、前記第１部品の端子部と接続される中継部と、前記接地導体部と前記中継部に接続され前記接地導体部を前記相手同軸コネクタの相手側中心導体と電気的に接続する平板状の抵抗素子、を有する第２部品と、を備え、
前記抵抗素子と前記接地導体部の間の空所での前記抵抗素子の垂直方向における距離が前記接地導体部と前記抵抗素子との接続部に接近する方向において漸次狭くなるように多段のテーパー状の傾斜が設けられていることを特徴とする終端器。
【請求項６】
終端器において、
相手同軸コネクタの相手側中心導体と電気的に接続される端子部と、該相手同軸コネクタの相手側外部導体と電気的に接続される外部導体部と、を有する第１部品と、
前記第１部品の外部導体部と電気的に接続される接地導体部と、前記第１部品の端子部と接続される中継部と、前記接地導体部と前記中継部に接続され前記接地導体部を前記相手同軸コネクタの相手側中心導体と電気的に接続する抵抗素子と、を有する第２部品と、を備え、
前記抵抗素子と前記中継部との接続部に盛られる半田の量を制御する手段が設けられていることを特徴とする終端器。
【請求項７】
請求項６記載の終端器において、前記半田の量を制御する手段は、前記接続部付近を包囲する管状部材である終端器。
【請求項８】
請求項１乃至７のいずれかに記載の終端器において、更に、前記第１部品と第２部品を収容して前記第１部品と第２部品の接続を維持する収容部品を備える終端器。
【発明の詳細な説明】
【０００１】
【発明の属する技術分野】
本発明は、終端器、特に高周波帯に使用可能な終端器に関する。
【０００２】
【従来の技術】
例えば、米国特許第５，０４７，７３７号に、従来終端器の一例が示されている。図４は、この従来終端器の斜視図を、図５は、図４の５−５線断面図を、それぞれ示す。この終端器８０は、主に、相手同軸コネクタの相手側中心導体と電気的に接続される導体部８１と、相手同軸コネクタの相手側外部導体と電気的に接続される接地導体部８２と、導体部８１と接地導体部８２の間に電気的に接続されたチップ型の抵抗素子８３から成る。
【０００３】
上記の米国特許にも説明されているように、終端器を用いて導体部８１の同軸インピーダンスを接地するには、接地導体部８２の形状を慎重に制御しなければならない。更に言えば、抵抗素子８３と接地導体部８２の間の空所８４における距離８５の変化が重要である。ここでは、抵抗素子８３による抵抗の大きさが抵抗素子８３のいずれの場所においても略一定となるように、抵抗素子８３の垂直方向における抵抗素子８３と接地導体部８２との間の距離８５をサスペンデットサブストレイトラインを形成するように変化させる必要がある。しかし、滑らかなラインを形成することは難しい。図５によく示されるように、上記米国特許においては、この問題を解決するため、接地導体部の空所８４を接地導体部８２に向かって漸次狭くなるよう階段状に切っている。しかしながら、このような階段状の変化では、特に高周波帯にあっては、安定した性能の終端器を提供することはできない。
【０００４】
また、一般に終端器で使用可能な（接地できる）同軸インピーダンスは、抵抗素子８３と導体部８１との接続部８６周辺における外径と、その周辺空間の外径との比によって決定されるが、特に高周波の終端器では、前者の外径を非常に小さくする必要がある。しかしながら、この外径の大きさは、抵抗素子８３を導体部８１に固定する際に使用される半田（図示されていない）の盛り上がりの影響を受け易く、従来の終端器ではこの半田量を制御することができなかったことから、終端器の精度を一定にすることが困難であった。
【０００５】
更に、例えば，終端器とコネクタとの接続時に生じるストレスは、抵抗素子８３と導体部８１の間の半田付け部分のような比較的弱い部分に大きな影響を及ぼし、また、この結果、終端器に機械的、電気的に大きな影響を与えるものであることから、このようなストレスを効率的に取り除くことが所望されていた。
【０００６】
【特許文献１】
米国特許第５，０４７，７３７号明細書
【特許文献２】
特公昭５７−５３００１号明細書
【０００７】
【発明が解決しようとする課題】
本発明はこれらの従来技術における問題点を解決するためになされたものであり、安定した性能を持つ終端器を提供することを目的とする。
【０００８】
より詳細には、抵抗素子と接地導体部の間の空所での、抵抗素子の垂直方向における距離の変化が緩やかになるようにして、安定した性能の高周波用終端器を提供することを目的とする。
【０００９】
また、抵抗素子を導体部に固定する際に使用される半田量を制御可能とし、抵抗素子と導体部との接続部周辺の外径を管理可能として、安定した性能の高周波用終端器を提供することを目的とする。
【００１０】
更に、例えば、終端器とコネクタとの接続時に半田部分等に生じ得るストレスをより効果的に取り除くことができるようにして、安定した性能の高周波用終端器を提供することを目的とする。
【００１１】
【課題を解決するための手段】
上記の目的を達成するため、本発明は、相手同軸コネクタと軸方向にて接続される終端器において、該相手同軸コネクタの相手側中心導体と電気的に接続される端子部と、該相手同軸コネクタの相手側外部導体と電気的に接続される外部導体部と、を有する第１部品と、前記第１部品の外部導体部と電気的に接続される接地導体部と、前記第１部品の端子部と少なくとも前記軸方向において弾性接続される中継部と、前記接地導体部と前記中継部に電気的に接続され前記接地導体部を前記相手同軸コネクタの相手側中心導体と電気的に接続する抵抗素子と、を有する第２部品と、を備えることを特徴としている。
【００１２】
上記終端器において、前記第２部品の中継部は、スリ割りを有し、前記第１部品の端子部は、前記スリ割りによって生じ得る弾性変形による戻りを抑制する部分を有し、前記スリ割り部分を前記抑制する部分に軸方向において押し込んで弾性変形させるようにして、前記第１部品の端子部と前記第２部品の中継部を弾性接続させるものであってもよい。
【００１３】
また、上記終端器において、前記スリ割りを設けた中継部は先端に向けて先細にされており、該先細にされている部分は前記抑制する部分への挿入部付近にのみ設けられていてもよい。
【００１４】
更に、上記終端器において、前記第２部品の中継部は、前記中継部から前記軸方向に伸びるガイド部を有し、前記第１部品の端子部は、このガイド部を案内するガイド穴を有していてもよい。
【００１５】
また、本発明は、終端器において、相手同軸コネクタの相手側中心導体と電気的に接続される端子部と、該相手同軸コネクタの相手側外部導体と電気的に接続される外部導体部と、を有する第１部品と、前記第１部品の外部導体部と電気的に接続される接地導体部と、前記第１部品の端子部と接続される中継部と、前記接地導体部と前記中継部に接続され前記接地導体部を前記相手同軸コネクタの相手側中心導体と電気的に接続する平板状の抵抗素子、を有する第２部品と、を備え、前記抵抗素子と前記接地導体部の間の空所での前記抵抗素子の垂直方向における距離が前記接地導体部と前記抵抗素子との接続部に接近する方向において漸次狭くなるように多段のテーパー状の傾斜が設けられていることを特徴としている。
【００１６】
更に、本発明は、終端器において、相手同軸コネクタの相手側中心導体と電気的に接続される端子部と、該相手同軸コネクタの相手側外部導体と電気的に接続される外部導体部と、を有する第１部品と、前記第１部品の外部導体部と電気的に接続される接地導体部と、前記第１部品の端子部と接続される中継部と、前記接地導体部と前記中継部に接続され前記接地導体部を前記相手同軸コネクタの相手側中心導体と電気的に接続する抵抗素子と、を有する第２部品と、を備え、前記抵抗素子と前記中継部との接続部に盛られる半田の量を制御する手段が設けられていることを特徴としている。
【００１７】
上記終端器において、前記半田の量を制御する手段は、前記接続部付近を包囲する管状部材であってもよい。
【００１８】
また、上記終端器において、更に、前記第１部品と第２部品を収容して前記第１部品と第２部品の接続を維持する収容部品を備えていてもよい。
【００１９】
【発明の実施の形態】
１．全体構成
図１に、本発明の終端器の中心線断面図、図２、３に、この終端器の内部に収容され得る第１部品及び第２部品の中心線断面図を、それぞれ示す。
【００２０】
本発明の終端器１は、固定ネジ２と、この固定ネジ２の内部に略全てが収容される第１部品４及び第２部品６から成る。固定ネジ２、第１部品４、及び第２部品６は、互いに分離可能であり、また、特に否定する記載がない限り、全て導体で形成されていると考えてよい。
【００２１】
１−１．固定ネジ
図１を参照して、固定ネジの構成を説明する。この固定ネジ２は、終端器１の最も外側を形成し、第１部品４や第２部品６を保持、収容する収容部品として機能する。
【００２２】
固定ネジ２は、互いに同軸的に接続され得る３つのネジ部分から成る。即ち、終端器１を相手同軸コネクタ等と接続するための第１ネジ部分２０と、この第１ネジ部分２０を一端において支持し、且つ、第１部品４と第２部品６を主として収容する第２ネジ部分２１、更に第１ネジ部分２０の対向側で第２ネジ部分２１にネジ止めされ得る第３ネジ部分２２である。更に、第３ネジ部分２２の外側を閉じる蓋２８を更に設けてもよい。
【００２３】
第１ネジ部分２０は、その内側に第２ネジ部分２１の一端を収容できるようにその中心軸回りが全長にわたって所定の径で刳り抜かれている。
【００２４】
第２ネジ部分２１は、第１部品４や第２部品６の一部を収容するため、それらの中心軸回りが全長にわたって所定の径で刳り抜かれている。第２ネジ部分２１は、特に第１ネジ部分２０の側で、比較的小さな径の穴２３を有するように刳り抜かれていることから、第２ネジ部分２１に収容された第１部品４や第２部品６が穴２３から抜け落ちてしまうことはない。
【００２５】
第３ネジ部分２２は、第２部品６の一部を収容するため、その先端側の一部２４が所定の深さで刳り抜かれている。この先端側の対向側端部には、第３ネジ部分２２のドライバによるネジ回転を容易にするためドライバ溝２９を設けてもよい。
【００２６】
第１ネジ部分２０の内面の一部２５は、第２ネジ部分２１との対向側付近においてネジ切りされている。このネジ切り部分２５を、相手同軸コネクタの所定部品、例えば、同軸ケーブルやその周囲を包囲するように設けられたネジ切り部分（図示されていない）と軸方向にて接続することにより、固定ネジ２を第１ネジ部分２０を介して相手同軸コネクタと接続することができる。尚、第１ネジ部分２０と相手同軸コネクタの接続を容易にするため、第１ネジ部分２０は固定ネジ２の組立後も、第２ネジ部分２１や第３ネジ部分２２に対して中心軸回りに回動自在である。
【００２７】
一方、第２ネジ部分２１の内面２６と第３ネジ部分２２の外面２７もネジ切りされているが、これらは、これら第２及び第３ネジ部分同士を互いに接続するためのものである。これらのネジ切り部分２６、２７を通じて、第２ネジ部分２１と第３ネジ部分２２は互いに固定される。第２ネジ部分２１に第１部品４や第２部品６をこの順に所定の向きで挿入した後、第２ネジ部分２１を第３ネジ部分２２で閉じることにより、第１部品４と第２部品６を、固定ネジ２の内部に略完全に収容、保持し、且つ、第１部品４と第２部品６の間の少なくとも軸方向における距離を一定に保つことができる。尚、「略完全に」としたのは、第１部品４や第２部品６が固定ネジ２の内部に完全に収容、保持された後も、第１部品４の一部（第１雄端子４１）は固定ネジ２の外部に露出されたままとされるからである。この露出された第１雄端子４１は、相手同軸コネクタ側の接続端子との接続に使用されることになる。
【００２８】
尚、上に説明した実施例では、相手同軸コネクタとの接続は、第１ネジ部分２０のネジ切りによって行っているが、プッシュオンロック（簡易ロック）であっても良く、相手同軸コネクタとの接続は、これらの方法に限定されない。又、第１ネジ部分２０が相手同軸コネクタに設けられていてもよい。
【００２９】
１−２．第１部品
次に、図２を参照して、第１部品の構成を説明する。第１部品４は、第２ネジ部分２１の内面形状に対応して略円柱形状を有し、中心導体部４０を介して第１雄端子４１と第２雄端子４２を対向側にそれぞれ有する端子部材４３と、この端子部材４３の外側を包囲して端子部材４３に支持、固定された外部導体４４から成る。
【００３０】
端子部材４３と外部導体４４は、樹脂によって互いに固定され得る。端子部材４３を外部導体４４に挿入して、それらの中心を通じて貫通する整合穴４５、４６を整合させた後、これらの整合穴４５、４６に樹脂４７を流し込むことにより、それらを所望の向きで互いに固定することができる。整合穴４５、４６は、図示のように、軸方向と交差する方向に設けられているため、互いに固定された端子部材４３と外部導体４４は、軸方向の力に対して強い抵抗力を有することとなる。
【００３１】
終端器１の使用時において、端子部材４３は、その第１雄端子４１において、相手同軸コネクタの相手側中心導体（図示されていない）と電気的に接続されて電気信号を受信する。一方、外部導体４４は、相手同軸コネクタの相手側外部導体（図示されていない）と電気的に接続されて電気信号を受信する。
【００３２】
第１雄端子４１によって受信された信号は、その後、中心導体部４０と第２雄端子４２を介して第２部品６（図３参照）へ伝達される。第２雄端子４２を第２部品と接続するため、第２雄端子４２は、その入り口付近に比較的径アの大きな穴５０を有し、また、接続を容易にするため、更にその奥に比較的径の小さなガイド穴５１をも有する。
【００３３】
１−３．第２部品
次に、図３を参照して、第２部品の構成を説明する。第２部品６は、第２ネジ部分２１の内面形状に対応して略円柱形状を有する接地導体部６０と、第１部品４との接続の中間地点に用いる中継部６１と、接地導体部６０と中継部６１の双方に接続された平板状のチップ型抵抗素子６２から成る。
【００３４】
中継部６１は更に、抵抗素子６２と接続される接続端子６４と、この接続端子６４のフランジ６５を境に接地導体部側及び第１部品側にそれぞれ設けられた円筒状の接合管６６及び中継管６７から成る。
【００３５】
抵抗素子６２は、その一端において接地導体部６０と接続され、他端において中継部６１と接続される。
【００３６】
接地導体部６０は、この接続を通じて、相手同軸コネクタの相手側中心導体と電気的に接続され得る。また、接地導体部６０は、その空所６９側の端部６３において第１部品の外部導体４４（図１、図２参照）の側面と電気的に接続され（図１参照）、この接続を通じて、相手同軸コネクタの相手側外部導体とも電気的に接続され得る。
【００３７】
次に、本発明の特徴部分について更に詳細に説明する。
【００３８】
抵抗素子６２は、その一端において、接地導体部６０の空所６９最奥に設けたスロット６８に軸線方向にて圧入され、若しくは、半田接続されることにより接地導体部６０に固定される。上述したように、この抵抗素子６２と接地導体部６０との間の空所６９での、抵抗素子６２の垂直方向における距離イの変化が重要である。本発明では、距離イがスロット６８に接近する方向において漸次滑らかに狭くなるように、多段のテーパー状の傾斜７１を設けている。取り分け、高周波終端器１においては、軸方向における抵抗素子６２の長さが短く、抵抗素子６２と接地導体部６０との間の距離の変化量が一般の終端器１よりも大きくなりがちであることから、このようなテーパー状の多段傾斜７１を設けることは非常に有効である。
【００３９】
一方、抵抗素子６２は、その他端において、それぞれが半月状の断面を有しそれらの間にスリットを形成しているようなスリット部材７２ａ、ｂの間に圧入され、その後、このスリット７２の周囲に半田７３を盛ることによって、そこに固定される。尚、図面からは必ずしも明らかでないが、半田７３はスリット７２の全周囲に盛られている（図面は中心線断面図であるため、この点までは現れていない）。よく知られているように、この終端器で使用可能な周波数の大きさは、抵抗素子６２と接続端子６４との接続部周辺における外径ウの大きさと、その周辺に存在する空間の外径エ（図２参照）の比によって決まることから、スリット周囲の外径ウを理想の寸法で管理できるのが好ましい。取り分け、例えば６５ＧＨｚといった高周波用の終端器１においては、遮断周波数によってスリット周囲の外径ウを約０．８ｍｍ程度の非常に小さな径にする必要がある。そこで、本発明では、このスリット７２の周囲を実質的に包囲する接合管６６を設け、この接合管６６の内部で半田７３を盛るようにして、半田７３の量を制御できるようにした。この構成によれば、接合管６６の外部から半田７３が漏れ出る危険が少ないため、半田部分においても理想的な同軸寸法を容易に達成することができる。故に、本発明によれば、高周波用の終端器を安定して提供できる。
【００４０】
更に、図１乃至図３を参照して、終端器とコネクタとの接続時に生じるストレスの解決策を説明する。このストレスは、特に高周波用の終端器にとっては厄介な問題である。この問題を解決するため、本発明では、第１部品４と第２部品６を、第２部品６の中継管６７と第１部品４の第２雄端子４２を利用して、少なくとも軸方向においてバネ構造によって弾性接続することとした。バネ構造を達成するため、中継管６７には、第１部品との接続側において中心を通る横方向にスリ割り７４が設けられている。また、少なくともスリ割り７４を設けた中継管６７の先端付近７５は先端に向けて先細形状とされており、最も先端における径オは、第１部品４の第２雄端子４２の入り口の径ア（図２参照）よりも若干小さく設計されている。尚、中継管６７の先細部分は、図示のように、スリ割りが設けられた部分の全体ではなく、第２雄端子４２への挿入部付近にのみ設けるのが好ましい。これにより、中継管６７の強度をより高めることができる。
【００４１】
このような構成において、第１部品４と第２部品６が軸方向にて互いに接近したとき、先ず、第２部品６の接続端子６４の中心から軸方向に延びるガイド部７７が、第１部品４の第２雄端子４２の入り口の穴５０に案内され、更に接近したときに、接続端子６４の中心にて軸方向に伸びるガイド部７７が、穴５０の更に奥のガイド穴５１へ案内されるとともに、中継管６７のスリ割り７４が、第２雄端子４２の入り口の穴５０に軸方向にて押し込まれて弾性変形される。これにより、第１部品４と第２部品６を弾性接続させることができる。明らかなように、この接続法によれば、例えば、コネクタとの接続時に生じ得る軸方向のストレスのみならず、これと交差する方向におけるストレスも取り除くことができる。故に、例えば、抵抗素子６２と接続端子６４の間の破損し易い半田部分に生じ得るストレスを効果的に取り除くことができる。更に上述したように、中継管６７と第２雄端子４２との距離は、固定ネジ２の収容部の寸法によって制御されるが、中継管６７と第２雄端子４２は弾性接続され得ることから、固定ネジ２の収容部においても、それ程厳しい寸法精度は要求されない。また、一般に、終端器の両端、例えば、第１雄端子４１と接地導体部６０の両端では、性能維持のため厳しい寸法精度が要求されるが、本発明によれば、中継管６７と第２雄端子４２との弾性接続により寸法の誤差が調整されるので、両端でそのような厳しい精度も維持できる。
【００４２】
１−４．その他
上の実施形態において、スリ割りを設けた第２部品６の中継管６７を取り付けるのは、第１部品４の第２雄端子４２に設けた穴として記載したが、第２雄端子４２に設けるのは、スリ割りによって生じた弾性変形による戻りを抑制できる構造であれば足り、必ずしも穴である必要はない。例えば、単なる上板と下板とから成る構造であってもよい。
【００４３】
また、半田の量を制御する手段として、円形断面を有する管状の接合管６６を設けるとしたが、例えば、矩形断面を有するものであってもよい。半田部分の略全体を包囲するように設けられていてば十分と考えられる。
【００４４】
【発明の効果】
本発明によれば、安定した性能を持つ終端器を提供することができる。更に言えば、接地導体部にテーパー状の傾斜を設け、接地導体部と抵抗素子との距離をより緩やかに変化させることができるという利点がある。また、抵抗素子と導体部との接続部周辺に半田量を制御する手段を設けることにより、それらの接続のために盛られる半田量を制御できるという利点がある。更に、終端器がコネクタと接続される部分と接地導体部との間に中継部を設けることにより、例えば終端器とコネクタとの接続時に生じるストレスをこの中継部分を利用して効果的に取り除くことができるという利点がある。
【００４５】
尚、本発明は、終端器一般に使用することができ、特に、高周波の終端器においてその利点が大きい。
【図面の簡単な説明】
【図１】本発明の終端器の中心線断面図である。
【図２】終端器の内部に収容される第１部品の中心線断面図である。
【図３】終端器の内部に収容される第２部品の中心線断面図である。
【図４】従来の終端器の斜視図である。
【図５】図４の５−５線断面図である。
【符号の説明】
１  終端器
２  固定ネジ
４  第１部品
６  第２部品
４１  第１雄端子
４２  第２雄端子
６０  接地導体部
６１  中継部
６２  抵抗素子
６６  接続管
６７  中継管
７３  半田
７４  スリ割り
【図１】
2005051392.tif 000003
【図２】
2005051392.tif 000004
【図３】
2005051392.tif 000005
【図４】
2005051392.tif 000006
【図５】
2005051392.tif 000007